(57)【特許請求の範囲】
【請求項１】
設定長のベルトの先端の着脱環をペットの首輪、胴輪等に連結し、手元となるベルトの上端に手、腕等を挿通把持する輪状の把部を形成してなるペット用リードにおいて、
把部付近に、設定長のベルト片の１端をベルトに固着すると共に他端をフリー端とし、該フリー端とベルトの相対位置に相互に着脱自在なタッチ・クローズファスナーを備えて、フリー端をベルトに着脱自在に固着して係合輪を形成したことを特徴とする、ペット用リード。
【発明の詳細な説明】
【０００１】
【産業上の利用分野】
ペット、主として犬の首輪、胴輪等に先端の着脱環（金具）を連結し手元の輪状の把部に手、腕等を通して、散歩、運動等にペットを曳きまわすペット用リード（曳き綱）に係り、該リードの把部付近にポシェットその他の対象物を着脱自在に取付保持する係合輪を備えたことを特徴とする、ペット用リードを提供する。
【０００２】
近時、ペット主として犬の散歩、運動時のフンの始末が問題となっているため、飼主等は散歩、運動時にフンを始末するための新聞紙、ティッシュやそれらを入れるビニール袋その他の容器等の始末用品を携行しているが、片手にリード、片手に始末用品を持つと両手がふさがってしまい不便な場合が多々あり、また、体裁も悪い等の課題があった。
【０００３】
そこで、上記の始末用品を専用のポーチ等に入れ、該ポーチ等をリードの把部付近に着脱自在に取付保持するものも提供されているが（例、実登３０５０２３７号、「ペットの汚物回収運搬容器」）、これらはリードとポーチ等の着脱が容易ではなく使いにくく、専用であるため価格が高い等の課題があった。
【０００４】
そして、上記のように、愛犬家等が毎日多大の不便を感じているにかかわらず、いまだに使い工合が良くまた体裁も良いものが提供されずにいるものである。
【０００５】
【発明による課題の解決】
そこで、本発明は、ペット用リードの把部付近に本発明に独自の係合輪を備えることによって、ポシェット、ポーチや各種袋類等の対象物を把部付近に極めて簡単かつ着脱自在に取付保持できるようにした、ペット用リードを提供して、上記従来の課題を有効に解決したものである。
【０００６】
【課題を解決する手段】
即ち、本発明は、設定長のベルトの先端の着脱環をペットの首輪、胴輪等に連結し、手元となるベルトの上端に手、腕等を挿通把持する輪状の把部を形成してなるペット用リードにおいて、
【０００７】
把部付近に、設定長のベルト片の１端をベルトに固着すると共に他端をフリー端とし、該フリー端とベルトの相対位置に相互に着脱自在なタッチ・クローズファスナーその他の着脱手段を備え、フリー端をベルトに着脱自在に固着して係合輪を形成したことを特徴とするペット用リードであり、
【０００８】
該係合輪に、ポシェット、ポーチ等の取付環、各種袋の手下げ輪部、各種物品のストラップ、その他の対象物の環、輪状部等を係合して、それらの対象物をリードの把部付近に保持するように備えたペット用リードによって課題を解決したものである。
【０００９】
上記発明において、ペット用リードの係合輪のフリー端とベルト側の着脱手段として、両者の相対位置に相互に着脱自在なタッチ・クローズファスナーを備えたものである。
【００１０】
ペット用リードの係合輪に着脱自在に取付保持する対象物は、環付のポシェット、ポーチ・バック、カバン等、輪状取手付のビニール袋、手下げ袋その他の各種袋類、ストラップ付の携帯電話、その他、係合輪のフリー端を挿通固着して取付保持するに適合した任意の物である。
【００１１】
また、対象物はポシェットその他の対象物に、ペット用リードのベルトと係合輪を挿通する２個の環を備えたもので、該対象物の一方の環にベルトを挿通すると共に他方の環に係合輪のフリー端を挿通後固着することにより、該対象物をリードの把部付近にぶらつかない状態に着脱自在に取付保持するようにしたものでもよい。
【００１２】
【実施例】
本発明の実施例につき説明する。（図１乃至図３）
設定長のベルト１の先端の着脱環２をペットの首輪、胴輪等に連結し、手元となるベルト１の上端に手、腕等を挿通把持する輪状の把部３を形成してなるペット用リードにおいて、
【００１３】
把部３付近に、設定長のベルト片７ａの１端をベルトに固着４すると共に他端をフリー端５とし、該フリー端５とベルト１の相対位置に相互に着脱自在なタッチ・クローズファスナー６を備えて、フリー端５をベルト１に着脱自在に固着して係合輪７を形成したことを特徴とする、ペット用リードＡであり、
【００１４】
該係合輪７に、ポシェット、ポーチ等の取付環８、各種袋の手下げ輪部、各種物品のストラップ、その他の対象物９の環８、輪状部等を係合して、それらの対象物９をリードＡの把部３付近に保持するように備えたペット用リードＡである。
【００１５】
本発明ペット用リードＡの係合輪７に着脱自在に取付保持する対象物９は、環８付のポシェット（図示例）、ポーチ、バック、カバン等、輪状取手付のビニール袋、手下げ袋その他の各種袋類、ストラップ付の携帯電話、その他、係合輪のフリー端を挿通固着して取付保持するに適合した任意の物であればよい。
【００１６】
例えば、ポシェット（図示例）その他の対象物９に、ペット用リードＡのベルト１と係合輪７を挿通する２個の環８、８を備えたものでもよく、該対象物９はその一方の環８にベルト１を挿通すると共に他方の環８に係合輪７のフリー端５を挿通後固着することにより、該対象物９をリードＡの把部３付近にぶらつかない状態に着脱自在に取付保持する。
【００１７】
【作用】
ペット、主として犬の散歩時、運動時等に、本ペット用リードの先端の着脱環をペットの首輪、胴輪等に連結すると共に、係合輪のフリー端の着脱手段を外してフリー状態とし、該フリー端を対象物例えばポシェット等の環や各種袋類の手持ち用の輪部等に挿通後、着脱手段によってベルトに固着して、該対象物をリードの把部付近に取付保持する。
【００１８】
対象物を取外すときは、係合輪のフリー端の着脱手段を外してフリー状態とし、それを対象物の環、輪等から抜き取って行う。
【００１９】
２個の環を備えた対象物の場合は、一方の環にベルトを挿通すると共に、他方の環に係合輪のフリー端を挿通後固着することにより、ぶらつかない状態に取付保持するものである。
【００２０】
【効果】
ペット用リードの把部付近に、フリー端を着脱手段で着脱自在にした係合輪を備えたことによって、リードの把部付近にポシェット等の対象物を極めて簡単にまた着脱自在に取付保持できる多大の効果がある。
【００２１】
前記のように、係合輪のフリー端を挿通する環、輪等を備えた対象物であれば、何でも着脱自在に取付保持できる特徴があり、また、リードに係合輪を備えるだけで済むので、価格的に全く問題とならない利点がある。
【図面の簡単な説明】
【図１】本発明ペット用リードの実施例の斜視図。
【図２】図１の実施例の係合輪に対象物（ポシェット）を取付保持した状態を示す斜視図。
【図３】図２の対象物（ポシェット）の斜視図。
【符号の説明】
Ａ    本発明実施例ペット用リード
１  ベルト
２  着脱環
３  把部
４  固着
５  フリー端
６  着脱手段
７  係合輪
７ａ  ベルト片
８  環（対象物）
９  対象物（例、ポシェット）
【図１】
0004457334.tif 000002
【図２】
0004457334.tif 000003
【図３】
0004457334.tif 000004